(57)【要約】      （修正有）【課題】調湿性および消臭性を維持しながら堅牢性に優れた建材用イ草パネルおよび居室構造並びに個室ユニットを提供する。【解決手段】個室ユニットは、正面壁および引き戸と、一対の側壁と、背面壁と、天井と、床とに囲まれることで、居室が形成される。この側壁１０４の開口部１０４ａには、芯材となる平板１１の両面にイ草シート１２が張り付けられた建材用イ草パネル１０が、嵌め込まれている。建材用イ草パネル１０は長期的な調湿性と消臭性を維持することができるので、個室ユニットの居住性を向上させることができる。【選択図】図２
0003231024.tif 000002
【実用新案登録請求の範囲】
【請求項１】
芯材となる平板にイ草シートが張り付けられた建材用イ草パネル。
【請求項２】
前記イ草シートは、前記平板の両面に張り付けられた請求項１記載の建材用イ草パネル。
【請求項３】
前記平板は、吸音材により形成された請求項１または２記載の建材用イ草パネル。
【請求項４】
芯材となる平板の一方の面にイ草シートが張り付けられた建材用イ草パネルが、前記イ草シートを露出面として壁面または建具の凹部に嵌め込まれた居室構造。
【請求項５】
芯材となる平板の両面にイ草シートが張り付けられた建材用イ草パネルが、壁面または建具の開口部に嵌め込まれた居室構造。
【請求項６】
前記平板は、吸音材により形成された請求項４または５記載の居室構造。
【請求項７】
リビングなどの居室に設置され、壁面と扉により囲まれた居室を備え、外部の居室と内部の居室との境界となる壁面の開口部に、芯材となる平板の両面にイ草シートが張り付けられた、建材用イ草パネルが嵌め込まれた個室ユニット。
【考案の詳細な説明】
【技術分野】
【０００１】
本考案は、板材にイ草シートを設けた建材用イ草パネルおよびそれを備えた居室構造並びに個室ユニットに関するものである。
【背景技術】
【０００２】
イ草は、優れた調湿性と消臭性とを有している。特に、消臭性は、２０年も経過したイ草であっても十分な性能を維持する。イ草は、畳表として畳に使用されるほか、特許文献１に記載された建具に使用されることが知られている。
特許文献１に記載の通気調湿建具は、建具の鏡板部分に、イ草やイ草状の和紙等を編み目状にしたシートを嵌め込み、通気性、調湿性、空気清浄効果を得るというものである。
【先行技術文献】
【特許文献】
【０００３】
【特許文献１】特開２００３−１３８８５８号公報
【考案の概要】
【考案が解決しようとする課題】
【０００４】
しかし、特許文献１に記載の通気調湿建具では、建具の鏡板部分となる開口部に編み目状のシートを嵌め込んだだけなので、通気性は得られるが、薄いシートでは誤って足や物が衝突して突かれると、破れてしまうおそれがある。
【０００５】
そこで本考案は、調湿性および消臭性を維持しながら堅牢性に優れた建材用イ草パネルおよび居室構造並びに個室ユニットを提供することを目的とする。
【課題を解決するための手段】
【０００６】
本考案の建材用イ草パネルは、芯材となる平板にイ草シートが張り付けられたことを特徴とする。
本考案の建材用イ草パネルによれば、イ草シートが調湿効果や消臭効果を長期的に維持する。また、本考案の建材用イ草パネルは、イ草シートが芯材となる平板に張り付けられているため、手や足が当たっても平板がしっかりと受け止めるので、イ草シートが破れることを防止することができる。
【０００７】
前記イ草シートは、前記平板の両面に張り付けられたものとすることができる。イ草シートは、平板の両面に張り付けられていれば、建具や壁面の両面側に対して調湿効果や消臭効果を得ることができる。また、両側からの接触に対しても平板がイ草シートの破れを防止することができる。
【０００８】
前記平板は、吸音材により形成されたものとすることができる。吸音材による平板が吸音するため、音漏れを軽減することができる。
【０００９】
本考案の居室構造は、芯材となる平板の一方の面にイ草シートが張り付けられた建材用イ草パネルが、前記イ草シートを露出面として壁面または建具の凹部に嵌め込まれたことを特徴とする。また、本考案の居室構造は、芯材となる平板の両面にイ草シートが張り付けられた建材用イ草パネルが、壁面または建具の開口部に嵌め込まれたことを特徴とする。
【００１０】
居室内での壁面や建具の一方側で、または居室と隣接する居室の両側で、調湿効果や消臭効果を得ることができる。また、イ草シートが平板に張り付けられていることにより、イ草シートの破れを防止することができる。
【００１１】
また、本考案の個室ユニットは、リビングなどの居室に設置され、壁面と扉により囲まれた居室を備え、外部の居室と内部の居室との境界となる壁面の開口部に、芯材となる平板の両面にイ草シートが張り付けられた建材用イ草パネルが嵌め込まれたことを特徴とする。
【００１２】
本考案の個室ユニットによれば、外側のリビングなどの居室と内側の居室との両方で調湿効果および消臭効果を得ることができ、両側からの接触でもイ草シートが破れることを防止することができる。
【考案の効果】
【００１３】
本考案は、イ草シートが調湿効果や消臭効果を長期的に維持することができ、イ草シートの破れを防止することができるので、調湿性および消臭性を維持しながら堅牢性に優れたものとすることができる。
【図面の簡単な説明】
【００１４】
【図１】本考案の実施の形態に係る建材用イ草パネルを備えた個室ユニットを示す図であり、（Ａ）は個室ユニットの斜視図、（Ｂ）は個室ユニットの断面図である。
【図２】図１（Ｂ）に示す個室ユニットの側壁の一部拡大図である。
【図３】図２に示す居室構造の他の例の一部拡大図である。
【考案を実施するための形態】
【００１５】
本考案の実施の形態に係る建材用イ草パネルおよび居室構造について、図面に基づいて説明する。図１（Ａ）および同図（Ｂ）に示す建材用イ草パネル１０は、建築物の一例である個室ユニット１００の側面に位置する壁面に配置されている。まず、個室ユニット１００について説明する。
【００１６】
個室ユニット１００は、幅Ｗが約１．６ｍ、高さＨが約１．９ｍ、奥行きＤが約９０ｃｍに形成され、例えば、リビングなどの居室に設置され、テレワーク（在宅勤務）や受験勉強、書斎などとして使用することができる。
【００１７】
個室ユニット１００は、正面には、正面壁１０１と、出入り口となる開閉用の扉である引き戸１０２が配置されている。そして、個室ユニット１００は、正面壁１０１および引き戸１０２と、一対の側壁１０３，１０４と、背面壁１０５と、床１０６とにより周囲が囲まれることで、居室Ｒが形成されている。引き戸１０２は、幅ＤＷが約７６ｃｍのものを使用している。この個室ユニット１００には、天井が無いが、購入者の希望により天井を取り付けることができる。
【００１８】
個室ユニット１００は、正面壁１０１と、一方の側壁１０３と、背面壁１０５との三方に、図示しない上下方向に延びるスライダー（アジャスター）が配置されている。このスライダーにより、棚や机となる棚板１１１〜１１３の高さが調整可能である。特に、このスライダーは、棚板１１１〜１１３について、使用者が座った状態で作業したり立った状態で作業したりすることができる高さに調整できる長さを有している。
【００１９】
本実施の形態では、個室ユニット１００が設置されたリビングなどの外部の居室との境界となる他方の側壁１０４に、建材用イ草パネル１０が配置されている。
図２に示すように、建材用イ草パネル１０は、壁面の一例である側壁１０４の開口部１０４ａに嵌め込まれている。建材用イ草パネル１０は、芯材となる平板１１にイ草シート１２が張り付けられたものである。
【００２０】
この建材用イ草パネル１０は、個室ユニット１００が設置されたリビングなどの外部の居室側からも、また、内部の居室Ｒ（図１（Ｂ）参照）からも、イ草シート１２を視認できるよう、平板１１の両面に張り付けられている。
【００２１】
平板１１は、例えば、無垢板でもよいが、廉価な合板とすることができる。本実施の形態では、吸引材により形成されたものとしている。例えば、平板１１は、板状のフェルト材により形成される以外に、コルク材、ロックウール材などとすることができる。
【００２２】
イ草シート１２は、ゴザや畳表と同様に、イ草を緯糸、畳糸などの糸を経糸として編物を編むようにして形成される。イ草シート１２は、平板１１に接着材により貼り付けられている。イ草シート１２に、絵や図形、模様などが描かれていれば、建材用イ草パネル１０の意匠性を高めることができる。
【００２３】
この建材用イ草パネル１０の壁面への取り付けは、側壁１０４の開口部１０４ａ（図２参照）に嵌め込み、建材用イ草パネル１０の周縁を、居室Ｒからと外部からとの両側から、矩形状の枠材１３により、挟み込み押さえ付けることで、固定される。
【００２４】
建材用イ草パネル１０を有する個室ユニット１００がリビングのような居室に配置された居室構造は、居室Ｒに所在する人の腕や足が当たっても、また、個室ユニット１００の外側（リビング側）から人が接触しても、イ草シート１２が平板１１に張り付けられている。従って、平板１１が接触による衝撃を受け止めるため、イ草シート１２が破れることを防止することができる。
【００２５】
また、イ草シート１２が平板１１の居室Ｒ側に張られているため、居室Ｒ内部への調湿効果と消臭効果とを長期的に得ることができる。更に、イ草シート１２が平板１１の居室Ｒの外側となるリビング側にも張られているため、リビング側でも長期的に調湿効果と消臭効果とを得ることができる。
【００２６】
従って、建材用イ草パネル１０は、調湿性および消臭性を維持しながら堅牢性に優れている。また、イ草は、ホルムアルデヒドや二酸化窒素を吸着して空気を浄化し、木の芳香成分であるフットンチッドが含まれているため森林浴効果が得られる。更に、イ草は、難燃性と、防汚性とを有しており、建材として優れた性能を有している。このように個室ユニット１００は、高い居住性を図ることができるので、使用者は集中して仕事や勉強、作業を行うことができる。
【００２７】
また、居室Ｒ内で発生した音が上方から抜け、周囲に伝わってしまうことがあるが、平板１１が吸音材により形成されているため、特許文献１に記載の通気調湿建具に用いられるイ草製のシートとしたものより、建材用イ草パネル１０から外に音が漏れ出ることを減少させることができる。また、リビングから個室ユニット１００への音の侵入を抑止することができる。
【００２８】
本実施の形態では、個室ユニット１００の壁面である側壁１０４に、建材用イ草パネル１０が配置されているが、正面壁１０１、側壁１０３、背面壁１０５に形成されていてもよいし、建具の一例である引き戸１０２に配置されていてもよい。
【００２９】
図２に示す建材用イ草パネル１０では、平板１１の両面にイ草シート１２が張り付けられているが、例えば、リビングや和室などの壁面、引き戸や開き戸、折れ戸などの建具などに建材用イ草パネルを取り付けるときには、イ草シート１２を片面とすることができる。
【００３０】
例えば、リビングや和室などの居室や建具に建材用イ草パネルを設けるときには、図３に示すように、イ草シート１２が片面に張り付けられた建材用イ草パネル２０とすることができる。なお、図３においては、図２と同じ構成のものは同符号を付して説明を省略する。
【００３１】
図３に示す建材用イ草パネル２０は、壁面１２０に形成された凹部１２０ａに、建材用イ草パネル２０が嵌め込まれている。建材用イ草パネル２０は、平板１１の一方の面にイ草シート１２が張り付けられ、イ草シート１２を露出面としている。
【００３２】
このように建材用イ草パネル２０は、イ草シート１２が平板１１に張り付けられているので、居室に所在する人が接触しても平板１１が受け止めるため、イ草シート１２が破れることを防止することができる。また、イ草シート１２が居室の湿気を吸湿し、匂いを消臭するため、長期的に調湿効果と消臭効果とを得ることができる。
また、平板１１が吸音材により形成されているため、居室内で発生した音が隣接する居室や空間に漏れ出ることを軽減することができる。
【００３３】
更に、リビングや和室などの居室の色調や構造に合った絵や図形、模様などが、イ草シート１２に描かれていれば、居室の雰囲気を高めることができる。
【産業上の利用可能性】
【００３４】
本考案の建材用イ草パネルは、居室の壁面や建具に好適であり、特に、リビングなどに設置される個室ユニットであれば、リビングとの境界となる個室ユニットの壁面に最適である。
【符号の説明】
【００３５】
１０，２０  建材用イ草パネル
１１  平板
１２  イ草シート
１３  枠材
１００  個室ユニット
１０１  正面壁
１０２  引き戸
１０３，１０４  側壁
１０４ａ  開口部
１０５  背面壁
１０６  床
１１１〜１１３  棚板
１２０  壁面
１２０ａ  凹部
Ｒ  居室
Ｗ，ＤＷ  幅
Ｈ  高さ
Ｄ  奥行き
【図１】
0003231024.tif 000003
【図２】
0003231024.tif 000004
【図３】
0003231024.tif 000005